(57)【要約】【課題】直播栽培において収量を増加させることができる新規な技術を提供する。【解決手段】  植物種子の被覆のために用いられるコーティング用組成物に含有される収量増加剤であって、多孔質物と、多孔質物に吸着されている、酵母エキス、酵母細胞壁及び酵母細胞壁の分解物からなる群から１種または２種以上選択される酵母分解物と、を含み、酵母分解物が収量増加剤当たり１〜１５重量％含有される収量増加剤。【選択図】  なし【特許請求の範囲】
【請求項１】
植物種子の被覆のために用いられるコーティング用組成物に含有される収量増加剤であって、
多孔質物と、
前記多孔質物に吸着されている、酵母エキス、酵母細胞壁及び酵母細胞壁の分解物からなる群から１種または２種以上選択される酵母分解物と、を含み、
前記酵母分解物が前記収量増加剤当たり１〜１５重量％含有される収量増加剤。
【請求項２】
前記コーティング用組成物が鉄粉を含む請求項１に記載の収量増加剤。
【請求項３】
前記コーティング用組成物において前記鉄粉と混和されている請求項２に記載の収量増加剤。
【請求項４】
前記酵母分解物を吸着している前記多孔質物が、前記鉄粉１００重量部に対し５〜２５重量部の割合となるように前記鉄粉と混和される請求項３に記載の収量増加剤。
【請求項５】
請求項１から４のいずれか１つに記載の収量増加剤と鉄粉とを含有する、植物種子のコーティング用組成物。
【請求項６】
請求項５に記載のコーティング用組成物により被覆されている植物種子。
【請求項７】
前記植物種子がイネ科植物の種子である請求項６に記載の植物種子。
【請求項８】
多孔質物に吸着されている、酵母エキス、酵母細胞壁及び酵母細胞壁の分解物からなる群から１種または２種以上選択される酵母分解物を含むコーティング用組成物を用いて植物種子を被覆することを含み、
前記酵母分解物が前記酵母分解物を吸着している前記多孔質物の重量に対し１〜１５重量％含有される直播栽培における収量増加方法。
【請求項９】
前記コーティング用組成物が鉄粉を含む請求項８に記載の収量増加方法。
【請求項１０】
前記コーティング用組成物において前記酵母分解物を吸着している前記多孔質物が前記鉄粉と混和されている請求項８または９に記載の収量増加方法。
【請求項１１】
前記酵母分解物を吸着している前記多孔質物が、前記鉄粉１００重量部に対し５〜２５重量部の割合となるように前記鉄粉と混和される請求項１０に記載の収量増加方法。
【発明の詳細な説明】
【技術分野】
【０００１】
本発明は植物の収量増加剤に関し、特にイネ科植物などの植物種子の被覆のために用いられるコーティング用組成物に含有される収量増加剤に関する。
【背景技術】
【０００２】
日本のイネ栽培では、稲を田において育てる前に、一定期間、ビニルハウス等の中で苗を育成し、その後田に移植する方法（以下、苗栽培ともいう）が広く行われている。しかしながら、苗栽培は労力と場所を多く必要とする。そのため、種子を田に直播して栽培する方法が徐々に広がっている。また、日本以外の国では、ほとんどが直播栽培である。
【０００３】
直播栽培では、イネの種子を鉄粉で被覆することが公知である（例えば特許文献１〜４および非特許文献１）。
鉄粉で被覆された種子は、その比重が大きくなるため点播で播種した状態が雨水や入水によっても乱れにくくなる。また、種子が鉄粉で覆われていることにより鳥害に強い。さらに、浮き上がりを抑えるために土中に埋めなくともよいので土壌表面に播種することができ、未被覆の場合より種子の出芽も良好である。加えて、鉄粉を用いて被覆した種子は長期間保存できるので、例えば農閑期に被覆処理を実施するなどの、労力の分散も可能である。
【０００４】
本発明者はこれまでに酵母分解物を活用した植物の生育改善剤を提案している（例えば特許文献５）。特許文献５の生育改善剤は、多孔質物と、多孔質物に吸着されている、酵母エキス、酵母細胞壁及び酵母細胞壁の酵素分解物からなる群から選択される１種または２種以上の酵母分解物と、を含んで構成される。当該生育改善剤を土壌に混和することで、その土壌が過湿の状態となったことに起因する植物の生育抑制を改善することができる。
しかしながら、多孔質物に吸着させた酵母分解物を含み、種子を被覆する組成物中に含まれる態様で処理される、収量増加資材については知られていない。
【先行技術文献】
【特許文献】
【０００５】
【特許文献１】特開２０１３−１８３７０３号公報
【特許文献２】特開２０１４−１１３１２８号公報
【特許文献３】国際公開第２０１２／１０８５１２号
【特許文献４】特開２０１６−１９５４８号公報
【特許文献５】国際公開第２０１６／１６３４２７号
【非特許文献】
【０００６】
【非特許文献１】鉄コーティング湛水直播マニュアル２０１０，  独立行政法人  農業・食品産業技術総合研究機構  近畿中国四国農業研究センター，  ２０１０．０３
【発明の概要】
【発明が解決しようとする課題】
【０００７】
従来の直播栽培は苗を田に移植する場合と比較して、単位面積当たりの収量が少ないという問題点がある。その要因としては、苗栽培と比較して直播栽培では播種後の根張りがどうしても苗栽培に劣るからであると考えられる。
以上に示した先行技術文献では直播栽培において収量を増加させる方法については何ら示されていない。
【０００８】
本発明は、直播栽培において収量を増加させることができる新規な技術を提供することを目的とする。
【課題を解決するための手段】
【０００９】
本発明者は鋭意研究の結果、多孔質物に吸着させた酵母分解物を用いて種子を被覆することで、播種後の根張を改善して収量を高めることができることを見出し、本発明を完成させた。
【００１０】
本発明の要旨は以下のとおりである。
［１］    植物種子の被覆のために用いられるコーティング用組成物に含有される収量増加剤であって、
多孔質物と、
前記多孔質物に吸着されている、酵母エキス、酵母細胞壁及び酵母細胞壁の分解物からなる群から１種または２種以上選択される酵母分解物と、を含み、
前記酵母分解物が前記収量増加剤当たり１〜１５重量％含有される収量増加剤。
［２］    前記コーティング用組成物が鉄粉を含む［１］に記載の収量増加剤。
［３］    前記コーティング用組成物において前記鉄粉と混和されている［２］に記載の収量増加剤。
［４］    前記酵母分解物を吸着している前記多孔質物が、前記鉄粉１００重量部に対し５〜２５重量部の割合となるように前記鉄粉と混和される［３］に記載の収量増加剤。
［５］    ［１］から［４］のいずれか１つに記載の収量増加剤と鉄粉とを含有する、植物種子のコーティング用組成物。
［６］    ［５］に記載のコーティング用組成物により被覆されている植物種子。
［７］    前記植物種子がイネ科植物の種子である［６］に記載の植物種子。
［８］    多孔質物に吸着されている、酵母エキス、酵母細胞壁及び酵母細胞壁の分解物からなる群から１種または２種以上選択される酵母分解物を含むコーティング用組成物を用いて植物種子を被覆することを含み、
前記酵母分解物が前記酵母分解物を吸着している前記多孔質物の重量に対し１〜１５重量％含有される直播栽培における収量増加方法。
［９］    前記コーティング用組成物が鉄粉を含む［８］に記載の収量増加方法。
［１０］    前記コーティング用組成物において前記酵母分解物を吸着している前記多孔質物が前記鉄粉と混和されている［８］または［９］に記載の収量増加方法。
［１１］    前記酵母分解物を吸着している前記多孔質物が、前記鉄粉１００重量部に対し５〜２５重量部の割合となるように前記鉄粉と混和される［１０］に記載の収量増加方法。
【発明の効果】
【００１１】
本発明によれば、直播栽培において収量を増加させることができる新規な技術を提供することができる。
【図面の簡単な説明】
【００１２】
【図１】植物種子の被覆の１つの態様（概要）を示す図である。
【図２】試験例１の、各被覆種子と地下部乾物重との関係を示すグラフである。
【図３】試験例１の、各被覆種子と発芽率との関係を示すグラフである。
【図４】試験例２の、各被覆種子と地下部乾物重との関係を示すグラフである。
【図５】試験例３の、各被覆種子と穂数との関係を示すグラフである。
【図６】試験例３の、各被覆種子と収穫籾数との関係を示すグラフである。
【図７】試験例３の、各被覆種子と収穫籾重との関係を示すグラフである。
【発明を実施するための形態】
【００１３】
以下、本発明の１つの実施形態について、詳細に説明する。
本実施形態は、植物種子の被覆のために用いられるコーティング用組成物に含有される収量増加剤に関し、多孔質物と、多孔質物に吸着されている、酵母エキス、酵母細胞壁及び酵母細胞壁の分解物からなる群から１種または２種以上選択される酵母分解物と、を含み、酵母分解物が収量増加剤当たり１〜１５重量％含有される。
【００１４】
本実施形態の収量増加剤において、含有される酵母分解物は、酵母に対する分解処理を行うことにより得られる分解物であり、具体的には酵母エキス、酵母細胞壁および酵母細胞壁の分解物からなる群から選択される１種または２種以上とすることができる。
酵母は、本実施形態に係る酵母分解物を得るために培養されたものであってもよいが、廃物利用及び廃棄物の廃棄コスト低減の観点から、ビール、ウイスキー、焼酎、清酒、味噌、醤油等の醸造産業において排出される余乗廃棄物として得られる酵母を用いることが好ましい。
一例として、酵母分解物は、パン酵母、泥状ビール酵母、圧搾ビール酵母、乾燥ビール酵母、ビール酵母懸濁液などのうち１種または２種以上を用いて製造することができる。
【００１５】
酵母に対する分解処理の方法として、例えば、酵母菌体内に本来あるタンパク質分解酵素等を利用して菌体を可溶化する自己消化法、微生物や植物由来の酵素製剤を添加して菌体を可溶化する酵素分解法、熱水中に一定時間浸漬することにより菌体を可溶化する熱水抽出法、種々の酸あるいはアルカリを添加して菌体を可溶化する酸・アルカリ分解法、凍結・融解を１回以上行うことにより菌体を破砕する凍結融解法、物理的な刺激により菌体を破砕する物理的破砕法等が挙げられる。物理的破砕法において用いられる物理的刺激としては、例えば、超音波処理、高圧下におけるホモジェナイズ、グラスビーズ等の固形物との混合による磨砕等がある。
【００１６】
酵母エキスは酵母の培養物から調製できる抽出物であり、例えば上述のいずれかの分解方法によって得ることができる。
酵母細胞壁もまた、同様にその調製方法（分解方法）について特に限定されない。例えば、酵母エキス調製過程において副産物として得られる酵母細胞壁を本実施形態のために用いることができる。
また、酵母細胞壁の分解物は、例えば上述の酵母細胞壁に対して公知の方法に従い酵素分解や水熱反応を行うことにより得ることができる。酵母細胞壁の分解物調製のために用いることができる酵素としては、グルカナーゼ、α−アミラーゼ、β−アミラーゼ、グルコアミラーゼ、プルラナーゼ、トランスグルコシダーゼ、デキストラナーゼ、グルコースイソメラーゼ、セルラーゼ、ナリンギナーゼ、ヘスペリジナーゼ、キシラナーゼ、ヘミセルラーゼ、マンナナーゼ、ペクチナーゼ、インベルターゼ、ラクターゼ、キチナーゼ、リゾチーム、イヌリナーゼ、キトサナーゼ、α−ガラクトシダーゼ、プロテアーゼ、パパイン、ペプチダーゼ、アミノペプチダーゼ、リパーゼ、ホスホリパーゼ、フィターゼ、酸性フォスファターゼ、ホスホジエステラーゼ、カタラーゼ、グルコースオキシダーゼ、ペルオキシダーゼ、タンナーゼ、ポリフェノールオキシダーゼ、デアミナーゼ、ヌクレアーゼなどを挙げることができる。酵母細胞壁の分解物調製にあたっては、例えばこれらのうち１種または２種以上を適宜選択して用いるようにしてもよい。
なお、本実施形態に係る酵母分解物が混合物の態様である場合、当該混合物は混合処理によって得られたもののほか、分離処理が行われていないものであってもよい。分離処理が行われていないものを用いた場合の具体例としては、例えば酵母について分解処理を行った後、酵母エキスと酵母細胞壁とを分離することなくそのまま多孔質物に吸着させて本実施形態に係る収量増加剤を得るような場合が挙げられる。
また、本実施形態においては、酵母分解物として酵母細胞壁またはその分解物およびこれらの混合物を含むことが、産業において排出される余乗廃棄物の処理の観点から好ましい。
【００１７】
本実施形態の収量増加剤は、当該酵母分解物を、多孔質物に吸着されている態様で含有する。
多孔質物としては、例えば、珪藻土、パーライト、ゼオライト、炭及び活性炭からなる群から選択される１種または２種類以上とすることができる。炭としては、木炭、竹炭、もみ殻燻炭等が挙げられる。
これらのうち、農業資材としてより実績がある観点から、多孔質物として珪藻土を含有することが好ましい。
また、本明細書において、吸着とは、多孔質物表面の引力によって酵母分解物の分子が吸着される付着現象などの物理吸着や活性炭のような化学吸着を示す。よって、酵母分解物を水に溶解または分散させ、当該溶液または分散液を多孔質物に吸収させたにすぎない場合等とは区別される概念である。
【００１８】
酵母分解物を吸着させる方法は特に限定されないが、例えば上述の酵母分解物と多孔質物とを混合して乾燥することにより酵母分解物を吸着した多孔質物を得ることができる。混合および乾燥する方法については特に限定されず、当業者が適宜設定することができる。例えば酵母細胞壁などの酵母分解物と多孔質物とを混合し、乾燥機を用いて乾燥するなどすればよい。
一方、本実施形態において、収量増加剤全体（例えば酵母分解物を吸着している多孔質物の合計での重量）に対する酵母分解物の割合（吸着率）は１〜１５重量％であり、好ましくは５〜１５重量％、より好ましくは７〜１３重量％である。収量増加剤全体に対する酵母分解物の割合を１〜１５重量％とすることで、範囲外にある場合と比較して、根張りを改善して収量をより増加させることができる。
【００１９】
本実施形態の収量増加剤は、植物種子の被覆のために用いられるコーティング用組成物に含有される。当該コーティング用組成物は、本実施形態の収量増加剤とともに、例えば鉄粉を含有するようにしてもよい。
鉄粉は、粉体状を呈している、例えば、金属鉄（純鉄粉）、還元鉄粉、アトマイズ鉄粉、電解鉄粉、産業廃棄物として産出される鉄粉などが使用でき、特に限定されない。また、植物種子のコーティングに用いることができる限りその大きさや形状なども特に限定されず、当業者が適宜設定することができる。
【００２０】
本実施形態の収量増加剤がコーティング用組成物に含有される態様は特に限定されず、当業者が適宜設定できるが、湛水における直播栽培では根張りをより改善して収量をさらに高める観点から鉄粉と混和されてコーティング用組成物に含有されることが好ましい。
鉄粉と本実施形態の収量増加剤とが混合される割合は特に限定されず当行者が適宜設定することができるが、酵母分解物を吸着している多孔質物が鉄粉１００重量部に対し５〜２５重量部の割合となるように混合されることがより収量を高める観点から好ましく、より好ましくは鉄粉１００重量部に対し１７〜２３重量部である。
【００２１】
本実施形態の収量増加剤を含むコーティング用組成物は、本実施形態の収量増加剤に加えて、本発明の目的を達成できる限り、上述の鉄粉のほか、他の成分を含有するようにしてもよい。
他の成分として、例えば、被覆処理により種子の表面上に形成される層中においてより鉄粉が保持されやすくする保持物質や、鉄粉の錆形成をより促進する酸化促進剤、発根、開花などを促進する生育促進剤やリン、カリウムなどの肥料成分およびミネラルなどが挙げられる。
このうち、保持物質としては、焼石膏、過酸化カルシウム、小麦粉、片栗粉、でんぷん糊や化学糊等の糊などが挙げられる。また、焼石膏は酸化促進剤としても作用する。
【００２２】
本実施形態に係るコーティング用組成物を用いて植物種子を被覆する態様は特に限定されず、当業者が適宜設定できる。
植物種子被覆の一つの態様として、例えば、上述の非特許文献１に記載の植物種子被覆方法において、鉄粉と混和されている焼石膏に代えて本実施形態の収量増加剤を含有させ、植物種子を被覆するようにしてもよい。この場合の植物種子に対する被覆の概要（断面図）を図１に示す。図１中、１００は植物種子であり、１は鉄粉と収量増加剤とを含む混合物の層であり、３は当該混合物の層に積層される焼石膏の層である。
具体的には、まず、鉄粉と本実施形態の収量増加剤とを混和し、次いで、得られた混合物により水を噴霧しながら種子の被覆を行う。これにより、水分などによって鉄の酸化反応が進行する。酸化反応によって錆が生成し、この錆により鉄粉と本実施形態の収量増加剤を含む混合物をイネ種子に付着・固化させて、種子を被覆することができる。続いて、得られた被覆状態をより強固なものとして鉄粉の剥離を防止するために、上記混合物の層をさらに焼石膏で被覆する。その後、乾燥させ、被覆種子を得ることができる。
【００２３】
本実施形態の収量増加剤を含むコーティング用組成物は植物種子を栽培する土壌に直播して栽培（直播栽培）される植物種子のいずれにも用いることができ、特に限定されないが、例えば、稲、小麦、大麦、ライムギおよびエンバクなどのイネ科植物の種子を被覆するために用いることができる。
被覆のために用いられるコーティング用組成物の量などは特に限定されず、当業者が適宜設定できる。例えば、稲の種子について、本実施形態の収量増加剤とともに鉄粉を含むコーティング用組成物を用いて鉄コーティング比（鉄粉の重さ／種子の重さ）が０．０５〜１．０の範囲となるように被覆を行うことができる。このとき、本実施形態の収量増加剤は種子５ｋｇあたり０．０１２５〜１．２５ｋｇが被覆に用いられる。また、特に限定されないが、被覆前の重量で５ｋｇである稲の種子を本実施形態に係るコーティング用組成物で被覆し、１０アールの田に播種することができる。
【００２４】
以上、本実施形態の収量増加剤を含むコーティング用組成物を用いて植物種子を被覆することにより、従来と比較して、根張りを改善でき、収量を増加させることができる。
したがって、本実施形態の収量増加剤によれば、直播栽培における収量増加に寄与することができる。
【実施例】
【００２５】
以下の実施例により本発明を更に具体的に説明するが、本発明はこれらに限定されない。
【００２６】
［実施例１］
ビール酵母の自己消化方法及び酵素処理方法により得られる酵母細胞壁（「ＹＰＲ」（アサヒフードアンドヘルスケア(株)）を珪藻土と混合して乾燥することにより、珪藻土に酵母細胞壁を吸着させた混和材（収量増加剤）を得た。乾燥は、酵母細胞壁と珪藻土の混合物１ｋｇを樹脂製パットに深さ約４ｃｍの平らな状態にして、送風低温乾燥機（EYELA ＷＦＯ−５２０）を用いて、８０℃で１２時間ごとに撹拌しながら２日間処理することにより行った。このとき、酵母細胞壁の割合は、混和材全体で１０重量％とした。
【００２７】
得られた混和材を、鉄粉１００重量部に対し混和材（酵母細胞壁を吸着させた珪藻土）２５重量部の割合となるようにして鉄粉（株式会社クボタ販売品、クボタ鉄粉）と混和した。得られた混合物について、鉄コーティング比（鉄粉の重さ／種子の重さ）が１．０となるようにして、イネ（品種：コシヒカリ）の種子を被覆した。
具体的には、５．０ｋｇの鉄粉に対し１．２５ｋｇの混和材を混合し、得られた混合物を用いて種子（５ｋｇ）を被覆した。次いで、焼石膏（０．２５ｋｇ、クボタ農業用焼石膏）を用いて、表面に上記の混合物の層が形成された種子をさらに被覆した。
【００２８】
［実施例２］
鉄粉１００重量部に対し混和材１０重量部の割合となるようにして鉄粉と混和したほかは実施例１と同様の方法で被覆種子を調製した。
【００２９】
［実施例３］
鉄粉１００重量部に対し混和材１５重量部の割合となるようにして鉄粉と混和したほかは実施例１と同様の方法で被覆種子を調製した。
【００３０】
［実施例４］
鉄粉１００重量部に対し混和材２０重量部の割合となるようにして鉄粉と混和したほかは実施例１と同様の方法で被覆種子を調製した。
【００３１】
また、比較例として、以下の被覆種子を調製した。
［比較例１］
混和材に代えて焼石膏を用い、当該焼石膏を鉄粉１００重量部に対し１０重量部の割合で混和したほかは、実施例１と同様の方法で被覆種子を調製した。
［比較例２］
焼石膏を鉄粉１００重量部に対し２５重量部の割合で混合したほかは、比較例１と同様の方法で被覆種子を調製した。
［比較例３］
焼石膏に代えて珪藻土を鉄粉と混和したほかは、比較例２と同様の方法で被覆種子を調製した。
［比較例４］
混和材において、酵母細胞壁の割合を混和材全体で２０重量％とした以外は実施例１と同様の方法で被覆種子を調製した。
［比較例５］
焼石膏に変えて珪藻土を鉄粉と混和したほかは、比較例１と同様の方法で被覆種子を調製した。
【００３２】
［試験例１］
実施例１の被覆種子と比較例１〜４の被覆種子を用いて以下の条件で栽培を行い、地下部乾物重（ｇ／３株）および発芽率を評価した。
栽培場所：苗テラス（閉鎖型苗生産システム）
播種容器：７２穴セルトレイを６穴ごとに切り分け使用した。円柱状の容器に切り分けたセルトレイを入れ、湛水状態にした。
育苗培土：サン培土（川西床土センター社）
栽培方法：２５℃、１２ｈ日長。灌水は１日１回、湛水状態を維持できるように容器から溢れる程度に行った。水深はセルトレイ培土表面まで約３ｃｍとした。播種は培土表面に種子を置く形で行った。
栽培期間：２１日間
生育調査：実施例および比較例に関し、３反復で１反復３株の地下部乾物重を測定した。反復ごとに発芽率を測定した。
【００３３】
結果を図２、３に示す。
図２から理解できるように、一般的な焼石膏量（１０重量部）である比較例１と比較して比較例２（焼石膏量が２５重量部）でも根量に差はなかった。また、比較例３の結果から、焼石膏を珪藻土に変えても根量に差がないことがわかった。
焼石膏に変えて吸着された酵母細胞壁量が混和材全体の１０重量％である混和材を２５重量部の割合で混合した実施例１では、比較例１に対し５％水準で有意に根量が増加していることが確認できた。一方、吸着された酵母細胞壁量が混和材全体の２０重量％である混和材を２５重量部の割合で混合した比較例４では根量の増加は確認されなかった。
【００３４】
また、図３に示す実施例および比較例の結果から理解できるように、発芽率については混和材の種類や量による差は確認されなかった。
【００３５】
［試験例２］
得られた実施例１〜４の被覆種子と比較例１、５の被覆種子を用いて以下の条件で栽培を行い、地下部乾物重（ｇ／３株）を評価した。
栽培場所：苗テラス（閉鎖型苗生産システム）、２５℃、１２ｈ日長、灌水１日１回底面灌水
播種容器：７２穴セルトレイを６穴ごとに切り分け使用した。円柱状の容器に切り分けたセルトレイを入れ、湛水状態にした。
育苗培土：サン培土（川西床土センター社）
栽培方法：２５℃、１２ｈ日長。灌水は１日１回、湛水状態を維持できるように容器から溢れる程度に行った。水深はセルトレイ培土表面まで約３ｃｍとした。播種は培土表面に種子を置く形で行った。
栽培期間：１７日間
生育調査：実施例および比較例に関し、３反復で１反復３株の地下部乾物重を測定した。
【００３６】
結果を図４に示す。
図４から理解できるように、比較例１と比較して、実施例１〜４ではいずれも根量が増加しており、実施例２〜４では有意な根量の増加が確認された。実施例４において根量が特に増加していた。
【００３７】
［試験例３］
得られた実施例２〜４の被覆種子と比較例１、５の被覆種子を用いて以下の条件で栽培を行い、穂数（本／株）、収穫籾数（粒／株）および収穫籾重（ｇ／株）を評価した。
栽培場所：茨城県守谷市のアサヒグループホールディングス所有の温室で試験を行なった。
栽培容器：１／２０００aワグネルポット
栽培培土：焼黒土（グリーンテック（株））
栽培方法：それぞれのポットにコーティング種子５粒をばらまき、出芽したものから生育のよい１本だけを残し間引きした。
栽培期間：定植日  ２０１５年５月２４日
収穫調査日  ２０１５年１１月２１日
収穫調査：各実施例、比較例について、４株の穂数、収穫籾数および収穫籾重を測定した。
【００３８】
結果を図５〜７に示す。
試験例２で根量が多かったものについては当該試験例３でも穂数（分げつ数）が多くなることが分かった。これは、定植後の根張促進による効果であるものと考えられた。さらに、穂数（分げつ数）の増加が収穫籾数、収穫籾重にも影響し、対照である比較例１と比較して、実施例では顕著に増加することが確認できた。
【図１】
2018166409.tif 000002
【図２】
2018166409.tif 000003
【図３】
2018166409.tif 000004
【図４】
2018166409.tif 000005
【図５】
2018166409.tif 000006
【図６】
2018166409.tif 000007
【図７】
2018166409.tif 000008